(57)【要約】    【課題】  建築現場に設置されたコンクリート部材上に防護柵を仮設する場合に柱に横紐を取り付け、取り外す作業の手間を減らす。    【解決手段】  コンクリート部材Ｐ上に設立した多数の柱１の上端に横紐ｒを掛け渡す仮設の防護柵において、柱１の上には、横紐ｒが柱１の両側方向に貫通した状態になる紐掛け具２を取り付けた。紐掛け具２は、柱１の上に内側棒状部５を設け、その両側に外側棒状部８、９を設け、内側棒状部５と各外側棒状部８、９との間にそれぞれ紐受け用空間を形成し、横紐ｒが片側の外側棒状部８、内側棒状部５と他の外側棒状部９との間を縫って柱１の両側方向に貫通した状態になる紐受け部を構成し、内側棒状部５の上端と各外側棒状部８、９の上端との間にそれぞれ紐嵌め込み用隙間を形成し、両側の紐嵌め込み用隙間から横紐を紐受け部に嵌め込む構成にした。【選択図】  図１
2006322250.tif 000002
【特許請求の範囲】
【請求項１】
建築現場に設置されたコンクリート部材の上に間隔を置いて柱を設立し、多数の柱の上端に横紐を掛け渡して取り付ける仮設の防護柵において、
柱の上端には、横紐が柱の両側方向に貫通した状態になる紐掛け具を取り付け、
紐掛け具は、内側棒状部を柱の上方に突出して設け、内側棒状部の両側にそれぞれ外側棒状部を設け、
片側の外側棒状部と内側棒状部との間と、内側棒状部と他の外側棒状部との間にそれぞれ紐受け用の空間を形成し、横紐が片側の外側棒状部、内側棒状部と他の外側棒状部との間を縫って柱の両側方向に貫通した状態になる紐受け部を構成し、
内側棒状部の上端と片側の外側棒状部の上端との間と、内側棒状部の上端と他の外側棒状部の上端との間にそれぞれ紐嵌め込み用の隙間を形成し、内側棒状部上端の両側の紐嵌め込み用隙間から横紐を紐受け部に嵌め込む構成にしたことを特徴とする防護柵。
【請求項２】
建築現場に設置されたコンクリート部材の上に間隔を置いて柱を設立し、多数の柱の上端に横紐を掛け渡して取り付ける仮設の防護柵において、
柱の上端には、横紐が柱の両側方向に貫通した状態になる紐掛け具を取り付け、
紐掛け具は、柱の上に筒状体を柱の両側方向に突出して設け、
筒状体は、内部に紐受け用の空間を形成し、横紐が筒状体を柱の両側方向に貫通した状態になる紐受け部を構成し、
筒状体の周壁は、上部に平面形状がステップ状に折れ曲がった紐嵌め込み用の切れ目を形成し、紐嵌め込み用切れ目から横紐を紐受け部に嵌め込む構成にしたことを特徴とする防護柵。
【請求項３】
紐掛け具は、柱の軸心の周りに回転可能にし、横紐の貫通方向を柱に対して変更可能にしたことを特徴とする請求項１又は２に記載の防護柵。
【請求項４】
柱は、作業者の命綱を掛け留める命綱留め具を柱の周りに回転可能に取り付けたことを特徴とする請求項１、２又は３に記載の防護柵。
【発明の詳細な説明】
【技術分野】
【０００１】
本発明は、建築現場に設置されたコンクリート部材の上に防護柵を仮設する技術に関する。
【背景技術】
【０００２】
プレキャストのコンクリート部材を用いて建築物を造る場合、コンクリート部材を建築現場に設置し、コンクリート部材の上で作業を行う。コンクリート部材の上には、作業者の転落事故を防止するため、防護柵を仮設する。
【０００３】
プレキャストのコンクリート部材は、工場で製造され、建築現場に輸送され、建築現場に設置される。このコンクリート部材は、重量物であり、表面に吊り上げ用のアンカーを埋め込んでいる。
【０００４】
コンクリート部材上に防護柵を設けるときには、建築現場に設置されたコンクリート部材の上面に露出している吊り上げ用アンカーの頭部に柱の下端を溶接し、柱を設立する。柱は、多数を配列する。柱の上端には、横紐を通して掛ける紐掛けリングを固定している。多数の柱の紐掛けリングには、横紐を掛け渡して取り付ける。防護柵は、柱と横紐で構成する。防護柵を取り外すときには、柱の下端を溶断し、柱を取り外す。
【０００５】
また、吊り上げ用のアンカーが所望の位置にないときには、コンクリート部材にインサートを埋め込み、インサートの螺子孔に柱の下端の螺子軸をねじ込み、柱を設立する。多数の柱の紐掛けリングには、横紐を掛け渡して取り付ける。防護柵を取り外すときには、柱から横紐を取り外し、柱をねじ戻して取り外す。
【０００６】
【特許文献１】特開平５−６８５５３号公報
【発明の開示】
【発明が解決しようとする課題】
【０００７】
建築現場に設置されたコンクリート部材上に防護柵を仮設する場合、横紐を柱に取り付けるときには、横紐の端を柱上端の円環状の紐掛けリングに、柱の配列順序に従って順番に差し込む作業を要する。また、横紐を柱から取り外すときには、横紐の端を柱の紐掛けリングから、柱の配列順序に従って順番に抜き出す作業を要する。これらの作業には、多くの手間が掛かる。
【０００８】
また、柱を回転して螺子軸を螺子孔に締め付けて柱を設立するときには、柱の上端に固定された紐掛けリングは、柱と一緒に回転し、柱の回転停止時、柱の設立時の向きが一定しない。紐掛けリングの向き、横紐を通す方向が横紐の掛け渡し方向、柱の配列方向と一致していないと、横紐の端を紐掛けリングに差し込む作業と、横紐の端を柱の紐掛けリングから抜き出す作業には、多くの手間が掛かる。
【０００９】
結局、コンクリート部材上に防護柵を仮設する場合、横紐を柱に取り付ける作業と取り外す作業には、多くの手間が掛かる。
【００１０】
［課題を解決するための着想］
１）防護柵の柱の上端に取り付ける紐掛け具は、横紐を掛けるに当り、横紐の端を切れ目のないリングに差し込むのではなく、横紐の途中を隙間ないし切れ目から紐受け部に嵌め込む構造にすることを着想した。
２）横紐が柱の両側方向に貫通した状態になる紐掛け具は、柱の軸心の周りに回転可能にし、横紐の貫通方向を柱に対して変更可能にすることにした。
３）また、防護柵の柱には、作業者の安全性を更に高めるため、作業者の命綱を掛け留める命綱留め具を取り付けることにした。この命綱留め具は、作業者が動き易くするため、柱の周りに回転可能にすることにした。
【課題を解決するための手段】
【００１１】
１）建築現場に設置されたコンクリート部材の上に間隔を置いて柱を設立し、多数の柱の上端に横紐を掛け渡して取り付ける仮設の防護柵において、
柱の上端には、横紐が柱の両側方向に貫通した状態になる紐掛け具を取り付け、
紐掛け具は、内側棒状部を柱の上方に突出して設け、内側棒状部の両側にそれぞれ外側棒状部を設け、
片側の外側棒状部と内側棒状部との間と、内側棒状部と他の外側棒状部との間にそれぞれ紐受け用の空間を形成し、横紐が片側の外側棒状部、内側棒状部と他の外側棒状部との間を縫って柱の両側方向に貫通した状態になる紐受け部を構成し、
内側棒状部の上端と片側の外側棒状部の上端との間と、内側棒状部の上端と他の外側棒状部の上端との間にそれぞれ紐嵌め込み用の隙間を形成し、内側棒状部上端の両側の紐嵌め込み用隙間から横紐を紐受け部に嵌め込む構成にしたことを特徴とする。
【００１２】
２）建築現場に設置されたコンクリート部材の上に間隔を置いて柱を設立し、多数の柱の上端に横紐を掛け渡して取り付ける仮設の防護柵において、
柱の上端には、横紐が柱の両側方向に貫通した状態になる紐掛け具を取り付け、
紐掛け具は、柱の上に筒状体を柱の両側方向に突出して設け、
筒状体は、内部に紐受け用の空間を形成し、横紐が筒状体を柱の両側方向に貫通した状態になる紐受け部を構成し、
筒状体の周壁は、上部に平面形状がステップ状に折れ曲がった紐嵌め込み用の切れ目を形成し、紐嵌め込み用切れ目から横紐を紐受け部に嵌め込む構成にしたことを特徴とする。
【００１３】
３）上記の防護柵において、
紐掛け具は、柱の軸心の周りに回転可能にし、横紐の貫通方向を柱に対して変更可能にしたことを特徴とする。
【００１４】
４）上記の防護柵において、
柱は、作業者の命綱を掛け留める命綱留め具を柱の周りに回転可能に取り付けたことを特徴とする。
【発明の効果】
【００１５】
建築現場に設置されたコンクリート部材の上に防護柵を仮設する際、コンクリート部材に設立した柱の紐掛け具に横紐を取り付けるときには、横紐の途中を紐嵌め込み用の隙間又は切れ目から紐受け部に嵌め込む。柱の紐掛け具から横紐を取り外すときには、紐受け部に入っている横紐の途中を紐嵌め込み用の隙間又は切れ目を経て抜き出す。
【００１６】
紐掛け具が柱の軸心の周りに回転可能であるときには、柱の設立後に、紐掛け具の向き、横紐の貫通方向を変更することができる。紐掛け具の向きを横紐の掛け渡し方向に一致させるのが容易である。
【００１７】
結局、柱の紐掛け具に横紐を取り付ける作業と、取り外す作業には、多くの手間が掛からない。
【００１８】
また、命綱留め具が柱の周りに回転可能に取り付けてある場合は、命綱の使用で作業者の安全性が更に高まり、命綱留め具が柱の周りに回転することで作業者が動き易い。
【発明を実施するための最良の形態】
【００１９】
［第１例（図１〜図５参照）］
本例の防護柵は、建築現場に設置されたプレキャストのコンクリート部材Ｐの上に仮設する。
【００２０】
防護柵の柱１は、図１〜図３に示すように、上端に紐掛け具２を取り付けている。紐掛け具２は、横紐ｒが柱１の左右の両側方向に貫通した状態になる。また、紐掛け具２は、柱１の軸心の周りに回転可能にしている。横紐ｒの貫通方向を柱１に対して変更可能にしている。
【００２１】
柱１は、円形の管形状であり、上端に中心孔より小径の軸受部３を同心に設けている。紐掛け具２は、丸棒形状の軸４を柱１の軸受部３に同心に嵌合している。軸４は、柱１の軸心の周りに回転可能にしている。軸４の下端は、大径の抜止部にし、柱１の中心孔の軸受部３下側に配置している。軸４の上端は、柱１の軸受部３の上側に露出している。
【００２２】
軸４の上端には、棒状体５と環状体６を縦に固定している。棒状体５は、軸４と同心に設け、軸４の上方、柱１の上方に突出している。環状体６は、柱１の外径より大径の円形状であり、軸４の軸心、柱１の軸心に対して左右対称に配置している。棒状体５は、環状体６の内側に位置し、環状体６の内径より短くてその半分、半径より長く、環状体６の上下方向の直径位置に配置している。棒状体５の上端は、環状体６の軸心方向に折り曲げ、環状体６から突出している。
【００２３】
棒状体５は、紐掛け具２の内側棒状部を構成している。棒状体５の折り曲げ上端は、内側棒状部５の上端の止め片７を構成している。環状体６は、内側棒状部５の左右の両側に位置する円弧状左側部分と円弧状右側部分が、それぞれ、紐掛け具２の左側の外側棒状部８と右側の外側棒状部９を構成している。環状体６の円弧状上側部分１０は、上側棒状部であり、左側の外側棒状部８と右側の外側棒状部９の上端同士を連結している。
【００２４】
左側の外側棒状部８と内側棒状部５との間と、内側棒状部５と右側の外側棒状部９との間に、それぞれ、紐受け用の空間を形成している。横紐ｒが左側の外側棒状部８、内側棒状部５と右側の外側棒状部９との間を縫って柱１の左右の両側方向に貫通した状態になる紐受け部を構成している。
【００２５】
止め片７は、内側棒状部５に交差した紐ｒが上昇したときに内側棒状部５の上端から抜け出るのを防ぐ。上側棒状部１０は、両側の外側棒状部８、９を補強する一方、左側の外側棒状部８に交差した紐ｒが上昇したときに左側の外側棒状部８の上端から抜け出るのを防ぐと共に、右側の外側棒状部９に交差した紐ｒが上昇したときに右側の外側棒状部９の上端から抜け出るのを防ぐ。
【００２６】
内側棒状部５の上端と左側の外側棒状部８の上端との間と、内側棒状部５の上端と右側の外側棒状部９の上端との間に、それぞれ、紐嵌め込み用の隙間を形成している。内側棒状部５上端の両側の紐嵌め込み用隙間から横紐ｒを紐受け部に嵌め込む構成にしている。
【００２７】
紐掛け具２は、棒形状の鋼材や環形状ないし筒形状の鋼材のような基礎材料から簡単に製作される。
【００２８】
柱１の中程には、図１、図２と図４に示すように、命綱留め具１６を取り付けている。命綱留め具１６は、作業者の命綱を掛け留める。また、命綱留め具１６は、柱１の周りに回転可能にし、かつ、柱１に沿って昇降可能にしている。
【００２９】
柱１には、円形状の可動輪１７を嵌合している。可動輪１７は、柱１の軸心の周りに回転可能にし、かつ、柱１の軸心に沿って昇降可能にしている。可動輪１７の外側には、円形状の掛け輪１８を固定している。掛け輪１８は、可動輪１７と同一面内に位置し、柱１の片側に突出している。掛け輪１８には、作業者の命綱先端の連結具を掛け留める。命綱留め具１６は、可動輪１７と掛け輪１８で構成している。
【００３０】
柱１の可動輪１７下側には、ピン１９を直径位置に貫通して、可動輪１７が当る下降制止片１９を設けている。柱１の可動輪１７上側には、ピン２０を直径位置に貫通して、可動輪１７が当る上昇制止片２０を設けている。掛け輪１８は、下降制止片１９と上昇制止片２０との間で昇降可能である。
【００３１】
命綱留め具１６と下降制止片１９、上昇制止片２０は、針金やピンのような基礎材料から簡単に製作される。
【００３２】
柱１の下端には、図１、図２と図５に示すように、固定具３１を装着している。固定具３１は、下降用部材３２と上昇用部材３６からなる。下降用部材３２と上昇用部材３６は、コンクリート部材Ｐ上面の凹部Ｒ内の中央部に位置している吊り上げ用のアンカーの頭部Ｈを上下方向から把持する。
【００３３】
下降用部材３２は、丸軸形状であり、上半分の固定部を柱１の下端に差し込んで固定し、下半分の螺子軸３３を柱１の下側に同心に突出している。下降用部材３２は、下端を、凹部Ｒ内のアンカーの頭部Ｈの上面に当てる当て部３４にしている。
【００３４】
上昇用部材３６は、横向きにした円筒体３７の上部を水平に切断して除去し、円筒体３７の切断上面に横板３８を固定し、円筒体３７の切断上面の開口を横板３８で閉鎖している。横板３８は、円筒体３７の上部を構成しており、螺子孔３９を上下方向に貫通して設けている。螺子孔３９には、下降用部材３２の螺子軸３３を螺合して貫通している。下降用部材３２は、下端の当て部３４を円筒体３７内に突出している。上昇用部材３６は、円筒体３７の下部に一端から横向きに溝を形成し、下部を二股状にしている。この二股状の下部は、凹部Ｒの底面から突き出しているアンカーの軸部Ｓに嵌め込んでアンカーの頭部Ｈの下面に当てる当て部４０にしている。
【００３５】
二股状の当て部４０を有する上昇用部材３６と、当て部３４を有する下降用部材３２は、螺子軸３３と螺子孔３９とからなる螺子機構を設け、螺子機構３３、３９で連結している。
【００３６】
固定具３１は、丸棒形状の鋼材、円筒形状の鋼材や板形状の鋼材のような基礎材料から簡単に製作される。
【００３７】
コンクリート部材Ｐの上に防護柵を設ける場合、柱１を手に持って、固定具３１の上昇用部材３６をほぼ半球形状の凹部Ｒ内に差し込み、上昇用部材３６の二股状当て部４０を凹部Ｒ内のアンカーの軸部Ｓに嵌め込む。すると、二股状当て部４０は、凹部Ｒ内のアンカーの頭部Ｈの下側に位置する。一方、柱１は垂直にして、下降用部材３２の当て部３４を凹部Ｒ内のアンカーの頭部Ｈの上側に配置する。
【００３８】
次に、上昇用部材３６は、足で軽く押して回り止めを施し、柱１を手で軸心の周りに回転する。すると、螺子機構３３、３９が回転操作され、下降用部材３２の螺子軸３３が上昇用部材３６の螺子孔３９に対して回転する。下降用部材３２と柱１が下降し、上昇用部材３６が上昇する。上昇用部材３６の二股状当て部４０と下降用部材３２の当て部３４との間が縮まる。二股状当て部４０がアンカーの頭部Ｈの下面に当ると共に、当て部３４がアンカーの頭部Ｈの上面に当る。固定具３１は、凹部Ｒ内のアンカーの頭部Ｈを上下方向から把持する。
【００３９】
柱１は、更に回転し、螺子軸３３を締め付ける。すると、固定具３１は、アンカーの頭部Ｈに固定される。柱１は、コンクリート部材Ｐ上に設立される。コンクリート部材Ｐ上には、間隔を置いて多数の柱１を設立する。
【００４０】
多数の柱１の紐掛け具２には、それぞれ、横紐ｒの途中を掛け、柱１の間に横紐ｒを掛け渡す。紐掛け具２に横紐ｒを掛けときには、紐掛け具２は、柱１の軸心の周りに回転し、紐掛け具２の向き、横紐ｒの貫通方向を横紐ｒの掛け渡し方向にする。そして、横紐ｒは、途中を二つ折りにして輪にし、その輪を紐掛け具２の内側棒状部５にその上端の止め片７を経て引っ掛ける。即ち、横紐ｒの途中は、内側棒状部５上端の両側の紐嵌め込み用隙間から内側棒状部５の両側の紐受け部に嵌め込む。その後、横紐ｒは、二つ折り状態から紐掛け具２の左側の外側棒状部８側と右側の外側棒状部９側に展開する。すると、横紐ｒは、左側の外側棒状部８、内側棒状部５と右側の外側棒状部９との間を縫って柱１の左右の両側方向に貫通した状態になる。
【００４１】
コンクリート部材Ｐ上には、柱１と横紐ｒからなる防護柵が設けられる。コンクリート部材Ｐ上で作業を行うときには、作業者は、腰に基端を連結した命綱の先端の連結具を命綱留め具１６の掛け輪１８に掛け留める。
【００４２】
コンクリート部材Ｐ上の防護柵を取り外すときには、各柱１の紐掛け具２から横紐ｒを取り外す。この際、横紐ｒは、紐掛け具２の左右に展開している状態から内側棒状部５位置で二つ折りにし、紐掛け具２の左右の外側棒状部８、９から離す。そして、横紐ｒは、二つ折り部を内側棒状部５からその上端の止め片７を経て抜き出す。また、各柱１をコンクリート部材Ｐから取り外す。この際、固定具３１は、上昇用部材３６に足で回り止めを施し、柱１を手で設立時と逆方向に回転する。すると、螺子機構３３、３９が取外用に回転操作され、二股状当て部４０と当て部３４との間が広がる。固定具３１が凹部Ｒ内のアンカーの頭部Ｈを把持した状態が解除される。次に、二股状当て部４０を凹部Ｒ内のアンカーの軸部Ｓから抜き出す。
【００４３】
建築現場に設置されたプレキャストのコンクリート部材Ｐには、護岸用の矢板の壁に被せたプレキャストの笠コンクリートブロックや、箱型に組み立てたプレキャストの遊水池構築用コンクリートブロックが例示される。
【００４４】
［第２例（図６〜図９参照）］
本例の防護柵の柱１は、第１例における紐掛け具２の構造、命綱留め具１６の構造と柱１の設立用構造を変更している。
【００４５】
紐掛け具２は、図６〜図８に示すように、横にした筒状体であり、横紐ｒが柱１の左右の両側方向に貫通した状態になる。また、柱１の軸心の周りに回転可能にしている。横紐ｒの貫通方向を柱１に対して変更可能にしている。
【００４６】
柱１の上端の軸受部３には、第１例におけるのと同様に、軸４を回転可能に設けている。軸４の上端には、円筒形状の筒状体４６を横に固定している。筒状体４６は、柱１の左右の両側方向に突出している。筒状体４６の内部は、下部を、横紐ｒが左右の両側方向に貫通した状態に配置される紐受け用の空間にしている。
【００４７】
筒状体４６の周壁は、上部に平面形状がステップ状に折れ曲がった紐嵌め込み用の切れ目４７を形成している。切れ目４７は、詳述すると、周壁の上部の前側に周壁の左端から軸方向に溝４８を形成し、周壁の上部の後側に周壁の右端から軸方向に溝４９を形成し、周壁の上部の中央部に、左前の溝４８と右後の溝４９を連通する溝５０を周方向に形成している。このステップ状の切れ目４７から横紐ｒを紐受け部に嵌め込む構成にしている。
【００４８】
横紐ｒは、途中を紐掛け具２に掛けるときには、途中を切れ目４７と同様にステップ状に折り曲げて切れ目４７から紐受け部に嵌め込み、紐受け部の貫通方向、左右の両側方向に直線状に展ばす。この横紐ｒは、その直線状になった状態で上昇しても、筒状体４６の周壁上部に当り、筒状体４６の外に抜け出さない。紐掛け具２から横紐ｒを取り外すときには、横紐ｒは、紐受け部に貫通している部分を、切れ目４７と同様にステップ状に折り曲げ、切れ目４７を経て抜き出す。
【００４９】
紐掛け具３、４、４６〜５０は、筒形状の鋼材や棒形状の鋼材のような基礎材料から簡単に製作される。
【００５０】
命綱留め具１６は、図６と図９に示すように、柱１の中程に円筒形状の可動筒５６を同心に嵌合している。可動筒５６は、柱１の軸心の周りに回転可能にし、かつ、柱１の軸心に沿って昇降可能にしている。可動筒５６の外側には、半円形状の掛け輪５７を固定している。掛け輪５７は、柱１の両側にそれぞれ突出している。掛け輪５７には、作業者の命綱先端の連結具を掛け留める。
【００５１】
柱１は、可動筒５６の下側位置に円環形状の下降制止片５８を、可動筒５６の上側位置に円環形状の上昇制止片５９を嵌合して固定している。可動筒５６は、下降制止片５８と上昇制止片５９との間で昇降可能である。
【００５２】
命綱留め具５６、５７と下降制止片５８、上昇制止片５９は、筒形状の鋼材や棒形状の鋼材のような基礎材料から簡単に製作される。
【００５３】
柱１の下端には、図６に示すように、螺子軸部６１を同心に設けている。柱１の設立時に、螺子軸部６１は、コンクリート部材Ｐの上面に埋め込まれているインサートＮの螺子孔にねじ込む。
【００５４】
［第３例（図１０〜図１２参照）］
本例の防護柵の柱１は、第１例における命綱留め具１６の構造と柱１の設立用構造を変更している。紐掛け具２は、第１例におけるのと同様である。
【００５５】
命綱留め具１６は、図１０〜図１２に示すように、柱１の中程に、横にした円筒形状の可動筒６６を貫通している。可動筒６６は、柱１の軸心の周りに回転可能にし、かつ、柱１の軸心に沿って昇降可能にしている。可動筒６６の周壁は、柱１を挟んだ両側にそれぞれ四角形の掛け孔６７を貫通している。両側の掛け孔６７と可動筒６６の各端との間には、それぞれ、円弧状の掛け片６８を形成している。掛け片６８には、作業者の命綱先端の連結具を掛け留める。
【００５６】
柱１は、可動筒６６の内側位置に円環形状の昇降制止片６９を嵌合して固定している。可動筒６６は、上部が昇降制止片６９に当る下降端位置と、下部が昇降制止片６９に当る上昇端位置との間で、昇降可能である。
【００５７】
命綱留め具６６〜６８と昇降制止片６９は、筒形状の鋼材のような基礎材料から簡単に製作される。
【００５８】
柱１の下端は、円形の中実の軸形状である。柱１の設立時に、柱１の下端は、コンクリート部材Ｐ上面の凹部Ｒ内のアンカーの頭部Ｈ上面に溶接で固定する。
【００５９】
［第４例（図１３参照）］
本例の防護柵の柱１は、第１例における命綱留め具１６を第２例における命綱留め具に変更し、第１例における柱１の固定具３１、設立用構造を第２例における柱の設立用構造に変更している。紐掛け具２とその他の点は、第１例におけるのと同様である。
【００６０】
［変形例］
１）実施形態の第１例、第３例と第４例において、紐掛け具２の左右の外側棒状部８、９を構成する環状体６は、円形状であるが、四角形状又は三角形状にする。
２）実施形態の第２例において、紐掛け具の筒状体４６は、円筒形状であるが、四角筒形状又はその他の角筒形状にする。
【図面の簡単な説明】
【００６１】
【図１】本発明の実施形態の第１例における防護柵の柱の中間省略の正面図。
【図２】同防護柵の柱の中間省略の部分縦断側面図。
【図３】同防護柵の柱の平面図。
【図４】図１のＡ−Ａ線断面図。
【図５】同防護柵の柱の底面図。
【図６】実施形態の第２例における防護柵の柱の中間省略の正面図。
【図７】同防護柵の柱の平面図。
【図８】図６のＢ−Ｂ線断面図。
【図９】図６のＣ−Ｃ線断面図。
【図１０】実施形態の第３例における防護柵の柱の中間省略の正面図。
【図１１】同防護柵の柱の中程部分の側面図。
【図１２】図１０のＤ−Ｄ線断面図。
【図１３】実施形態の第４例における防護柵の柱の中間省略の正面図。
【符号の説明】
【００６２】
Ｐ  コンクリート部材
Ｒ  凹部
Ｓ  アンカーの軸部
Ｈ  アンカーの頭部
ｒ  防護柵の横紐
Ｎ  インサート
１  防護柵の柱
２  紐掛け具
３  軸受部
４  軸
５  棒状体、内側棒状部
６  環状体
７  棒状体の折り曲げ上端、内側棒状部の止め片
８  環状体の円弧状左側部分、左側の外側棒状部
９  環状体の円弧状右側部分、右側の外側棒状部
１０  環状体の円弧状上側部分、上側棒状部
１６  命綱留め具
１７  可動輪
１８  掛け輪
１９  ピン、下降制止片
２０  ピン、上昇制止片
３１  固定具
３２  下降用部材
３３、３９  螺子機構
３３  螺子軸
３４  当て部
３６  上昇用部材
３７  円筒体
３８  横板、円筒体の上部
３９  螺子孔
４０  二股状の当て部
４６  筒状体
４７  紐嵌め込み用の切れ目
４８  軸方向の溝
４９  軸方向の溝
５０  周方向と溝
５６  可動筒
５７  掛け輪
５８  下降制止片
５９  上昇制止片
６１  柱の螺子軸部
６６  可動筒
６７  掛け孔
６８  掛け片
６９  昇降制止片
【図１】
2006322250.tif 000003
【図２】
2006322250.tif 000004
【図３】
2006322250.tif 000005
【図４】
2006322250.tif 000006
【図５】
2006322250.tif 000007
【図６】
2006322250.tif 000008
【図７】
2006322250.tif 000009
【図８】
2006322250.tif 000010
【図９】
2006322250.tif 000011
【図１０】
2006322250.tif 000012
【図１１】
2006322250.tif 000013
【図１２】
2006322250.tif 000014
【図１３】
2006322250.tif 000015